Podtech/llm-jp-corpus-v4-ja_patent huggingface dataset:
(57)【要約】  本発明は、石油処理に関し、特に、船舶及びボイラプラントのために使用される重油燃料の組成に関する。本発明の燃料は、３から５重量％の選択精製油抽出物、３から１０重量％の重質触媒分解軽油、５から１０重量％の減圧軽油、３から１０重量％のタール又は常圧残油、１０から２０重量％の直留黒油、及び１００重量％以下の重質油留分ビスブレーキング残油を含む。成分とその比率の本発明にて選択された組み合わせによって、改善された粘性を示す安定的な重油燃料を得ることが可能となる。前記成分を燃料組成に導入することによって製造された船舶用燃料とボイラ燃料の種類を拡張することができる。【選択図】なし【特許請求の範囲】
【請求項１】
重質油留分ビスブレーキング残油と、選択精製油抽出物と、重質油触媒分解軽油と、減圧軽油と、タール又は常圧残油と、直留黒油とを以下の組成重量％で含有することを特徴とする重油燃料。
３から５重量％の選択精製油抽出物
３から１０重量％の重質油触媒分解軽油
５から１０重量％の減圧軽油
３から１０重量％のタール又は常圧残油
１０から２０重量％の直留黒油
１００重量％までの重質油留分ビスブレーキング残油
【請求項２】
組成中に０．０２から０．１０重量％の量で流動点降下剤を含む、請求項１に記載の重油燃料。
【発明の詳細な説明】
【技術分野】
【０００１】
本発明は、石油処理に関し、特に船舶及びボイラプラントのために使用される重油燃料の組成に関する。
【背景技術】
【０００２】
３０：７０から５０：５０の比率で熱分解アスファルトの留分とアスファルト分解の残留物を含む重油燃料が知られている（ＳＵ１５７５５６０，Ｃ１０Ｌ１／０４，１９９９）。
【０００３】
しかしながら、このタイプの燃料は、安定性がなく、必要な粘性と温度特性を示さない。
【０００４】
他のタイプの利用可能燃料は、７０：３０から９０：１０の比率で重質油留分ビスブレーキング残油と重質油留分の脱れきアスファルトを含む重油燃料である。幾つかの例では、この燃料は軽油留分を含んでいてもよい（ＪＰ６０−１２３５５４、Ｃ０８Ｌ９１／００，１９８５）。
【０００５】
しかしながら、ロシアでは、脱れき石油留分は、主に潤滑油の製造のための原料として使用され、それらの利用は限られている。
【０００６】
本発明に最も近い他の重油燃料は、黒油のビスブレーキング残油とタールの３６０℃−ＫＫの沸点範囲を有する混合物を基油とする重油燃料であり、１から５重量％の選択精製抽出物と、１０重量％までの重質触媒分解軽油と、２重量％までの残留スロップを含む（ＲＵ２１８５４１５，Ｃ１０Ｌ１／０４，２００２）。
【０００７】
実際には、上記の問題解決策の欠点は、プロパンを使用した溶剤脱れき工程で得られる残留物が組成中に含まれると、粘度の顕著な増加と燃料の流動点のの上昇を引き起こす。
【発明の開示】
【発明が解決しようとする課題】
【０００８】
本発明の目的は、粘度を減少し且つ重油燃料の安定性を改善することである。
【課題を解決するための手段】
【０００９】
この問題に対する解決策として、重油燃料は、重質油留分ビスブレーキング残油を基油として、選択精製油抽出物と、重質触媒分解軽油と、減圧軽油と、タール又は常圧残油と、直留黒油とを以下の成分の組成重量％で含む。
【００１０】
３から５重量％の選択精製油抽出物
３から１０重量％の重質触媒分解軽油
５から１０重量％の減圧軽油
３から１０重量％のタール又は常圧残油
１０から２０重量％の直留黒油
１００重量％までの重質油留分ビスブレーキング残油
同時に、本発明で提案される重油燃料は、組成中に０．０２から０．１０重量％の量で流動点降下剤を含んでもよい。
【００１１】
本発明で提案された技術的解決策の具体的特徴は、本発明の燃料が、記述された組み合わせで減圧軽油とタール又は常圧残油と直留黒油とを含むことである。
【００１２】
成分とそれらの組成と比率の本発明で提案される組み合わせによって、改善された粘性を持つ重油燃料の安定性を向上することが可能となる。更に、燃料組成中にて上記列挙された成分の使用によって船舶及びボイラプラントで使用される重油燃料の種類を拡張し且つ生産を増加することが可能となる。
【発明を実施するための最良の形態】
【００１３】
本発明で提案される燃料油は、その成分を混合することにより調製される。
【００１４】
本発明で提案される技術的解決策の本質を例示するために、３つの燃料油サンプルが調製された。
【００１５】
燃料油サンプル中にて使用される成分の特性は表１に挙げられる。
【００１６】
タールビスブレーキング残油は、サンプル中にて本発明で提案された燃料のための基油として使用された。
【００１７】
流動点降下剤は、Ｐａｒａｄｉｎ−７０、ＥＣＡ−７４３３等のエチレンとビニルアセテート共重合体を使用することを含む。本燃料サンプルにおいて、Ｐａｒａｄｉｎ−７０降下剤が使用された。
【００１８】
調製されたサンプルの組成と品質項目は、表２に挙げられる。
【００１９】
表２に列挙されたデータは、本発明で提案された燃料サンプルが、高粘性船舶燃料油（ＴＵ３８１０１１３１１４）の技術仕様書とボイラプラント燃料油（ＧＯＳＴ１０５８５−７５）のＧＯＳＴ規格に完全に準拠していることを示している。
【００２０】
【表１】
2009501831.tif 000002
【００２１】
【表２】
2009501831.tif 000003
【国際調査報告】
2009501831.tif 000004
2009501831.tif 000005
(57)【要約】  本発明は、石油処理に関し、特に船舶用動力における中速ディーゼルエンジンのために使用される軽油燃料の組成に関する。本発明の軽油燃料は、４から１０質量％の石油残油と、２から１０質量％のタールと、１０から３０質量％の軽質触媒分解軽油と、５から１０質量％の重質触媒分解軽油と、８から１０質量％の直留ディーゼル燃料と、１００質量％までの重質油留分ビスブレーキング残留分とを含む。本発明の選択された成分の組み合わせによって、燃料の輸送時と貯蔵時における安定性を向上し、高品質燃料油の種類を拡張し且つその生産を増加し、石油精製プラントにおいて低品質物を効率的に使用することを可能とする。【選択図】なし【特許請求の範囲】
【請求項１】
石油残油と、タールと、軽質触媒分解軽油と、重質触媒分解軽油と、直留ディーゼル燃料と、重質油留分ビスブレーキング残油とを以下の組成重量％で含有することを特徴とする軽油燃料。
４から１０重量％の石油残油
２から１０重量％のタール
１０から３０重量％の軽質触媒分解軽油
５から１０重量％の重質触媒分解軽油
８から１０重量％の直留ディーゼル燃料
１００重量％までの重質油留分ビスブレーキング残留分  
【請求項２】
５重量％までの軽質コーキング軽油をさらに含有することを特徴とする請求項１に記載の軽油燃料。
【請求項３】
０．０２から０．１重量％の量でエチレンとビニルアセテート共重合体を主成分にした流動点降下剤をさらに含有することを特徴とする請求項１又は２に記載の軽油燃料。
【発明の詳細な説明】
【技術分野】
【０００１】
本発明は、石油処理に関し、特に船舶用動力における中速ディーゼルエンジンのために使用される軽油燃料の組成に関する。
【０００２】
本発明の軽油燃料は、直留留出物と残油、並びに二次生産物とそれらの混合物から製造される。
【背景技術】
【０００３】
３６から４２重量％の直留黒油、４２から４８重量％の直留ディーゼル燃料、１０から２２重量％のコーキング軽油又は触媒分解軽油を含む船舶用燃料油が知られている。（Ｆｕｅｌ  ａｎｄ  Ｏｉｌ  Ｃｈｅｍｉｓｔｒｙ  ａｎｄ  Ｔｅｃｈｎｏｌｏｇｙ，１９７８，Ｎｏ．３，ｐｐ．２８−３０）
しかしながら、このタイプの燃料は、貯蔵時の不安定な流動点温度と７０重量％までの留出留分の不当に高い含有によって特徴付けられる。
【０００４】
他のタイプの船舶用動力システム燃料として、５から３０重量％のタールと、２５重量％までの広範囲の減圧留出物（２６０から５１０℃）、又は常圧残油と広範囲の減圧留出物（２６０から５１０℃）と、２０から２５重量％の軽質触媒分解軽油と、１５から４０重量％の水素化ディーゼル燃料と、0.05重量％までの流動点降下剤と、１００重量％までの直留黒油とを含む燃料が知られている（ＲＵ２１５５２１１，Ｃ１０Ｌ／０４，２０００）。
【０００５】
しかしながら、水素化ディーゼル燃料の高い含有量（４０重量％まで）と高品質の直留黒油の高い含有量により、その用途が制限される。
【０００６】
重量％で以下の含有量を有する船舶用燃料油が、本発明に最も近似している。
【０００７】
タール：１０から１５
軽質触媒分解軽油：１５から３０
重質触媒分解軽油：１０から２０
水素化ディーゼル燃料：１９から３０
黒油：１００まで
（ＲＵ２１３９９１２，Ｃ１０Ｌ１／０４，１／１８，１９９９）
しかしながら、このような組成燃料は、十分な安定性を示さず、その輸送中と貯蔵中に船舶用燃料の分離を起こし、更に、このタイプの燃料は、大量の水素化ディーゼル燃料油と直留黒油を含む。
【発明の開示】
【発明が解決しようとする課題】
【０００８】
本発明の目的は、燃料の安定性を向上し、その種類を拡大し、船舶用エネルギーシステムで使用される高品質燃料の生産を増加することである。
【課題を解決するための手段】
【０００９】
この課題の解決策として、本発明は、重量％で以下の含有物を有する軽油燃料を提案する。
【００１０】
石油残油：４から１０
タール：２から１０
軽質触媒分解軽油：１０から３０
重質触媒分解軽油：５から１０
直留ディーゼル燃料：８から１０
重質油留分ビスブレーキング残留油：１００まで
同時に、幾つかの例では、５重量％までの軽質コーキング軽油と、エチレンとビニルアセテート共重合体を主成分にした０．０２から０．１重量％の流動点降下剤を含んでもよい。
【００１１】
本発明において提案される技術的解決策の特徴は、本発明の燃料において、石油残油が先進の石油処理において生産される残留物によって最大限交換されることと、水素化燃料油の代わりに直留ディーゼル燃料油を使用することである。
【００１２】
本発明において提案された成分の組み合わせによって、燃料の輸送時と貯蔵時における燃料油の安定性を向上し、高品質燃料油の種類を拡張し且つその生産を増加し、油精製プラントにおいて低品質生産物を効率的に使用することを可能とする。
【発明を実施するための最良の形態】
【００１３】
本発明にて提案される燃料油は各々の成分を混合することにより調製される。
【００１４】
本発明にて提案される技術的解決策の本質を例示するために、５つの燃料油サンプルが調製される。
【００１５】
燃料油の含有物として使用される成分の性質を表１に列挙した。タールビスブレーキング残油又はタールと黒油の混合物が、本発明で提案された燃料油の基油として使用される。
【００１６】
調製されたサンプルの組成と品質項目が、表２に列挙される。
【００１７】
表２に列挙されたデータは、本発明で提案された燃料サンプルが、船舶用動力システム燃料のためのロシア国家規格（GOST standards）に完全に準拠していることを示している。
【００１８】
【表１】
2009501832.tif 000002
【００１９】
【表２】
2009501832.tif 000003
【国際調査報告】
2009501832.tif 000004
2009501832.tif 000005
(57)【要約】  本発明は、冷蔵庫及び／又は冷凍庫に関する。機器本体に配設された自動式のアイスキューブメーカーと、アイスキューブを作るために、水を上記アイスキューブメーカーに供給するウォータータンクと、を備える。上記ウォータータンクが、少なくとも１つのハンドルと、注ぎ口と、を含み、機器本体に取り外し可能に装着されている。【特許請求の範囲】
【請求項１】
機器本体に配設された自動式のアイスキューブメーカーと、
アイスキューブを作るために、上記アイスキューブメーカーに水を供給するウォータータンクと、
を備えた冷蔵庫及び／又は冷凍庫において、
上記ウォータータンクが、
少なくとも１つのハンドルと、注ぎ口と、を含み、
機器本体に取り外し可能に装着されていることを特徴とする冷蔵庫及び／又は冷凍庫。
【請求項２】
請求項１に記載の冷蔵庫及び／又は冷凍庫であって、
上記ウォータータンクが、クイックリリースカップリングを介して機器本体に装着されていることを特徴とする冷蔵庫及び／又は冷凍庫。
【請求項３】
請求項１又は請求項２に記載の冷蔵庫及び／又は冷凍庫であって、
上記ウォータータンクが、充填する水を濾過するためのフィルターを含むことを特徴とする冷蔵庫及び／又は冷凍庫。
【請求項４】
上記請求項に記載の冷蔵庫及び／又は冷凍庫であって、
上記フィルターが、取り替え可能なカートリッジフィルターで構成されていることを特徴とする冷蔵庫及び／又は冷凍庫。
【請求項５】
請求項３又は請求項４に記載の冷蔵庫及び／又は冷凍庫であって、
フィルターの取り替えの必要性が、表示システムを介して示されることを特徴とする冷蔵庫及び／又は冷凍庫。
【請求項６】
請求項５に記載の冷蔵庫及び／又は冷凍庫であって、
上記表示システムが、電子的に作動することを特徴とする冷蔵庫及び／又は冷凍庫。
【請求項７】
上記請求項のいずれか１つに記載の冷蔵庫及び／又は冷凍庫のためのウォータータンクであって、
注ぎ口と、少なくとも１つのハンドルと、を含むとともに、クイックリリースカップリング機構を含むことを特徴とするウォータータンク。
【発明の詳細な説明】
【技術分野】
【０００１】
本発明は、請求項１の一般的な構成に従う冷蔵庫及び／又は冷凍庫に関する。
【背景技術】
【０００２】
固定された水接続構造のない、自動式のアイスキューブメーカーが組み込まれた冷蔵庫及び／又は冷凍庫は、公知である。
【発明の開示】
【発明が解決しようとする課題】
【０００３】
これらの機器では、ウォータータンクは冷却部分に配置しなければならず、アイスを形成するために、そこからポンプで水が送られる。このことは、２つの基本的な問題を含んでいる。第１に、ウォータータンクは１．５から２Ｌの容量があるため、冷却チャンバー内で比較的大きなスペースを占有する。第２に、貯留される水は、比較的長期間ウォータータンク内に存在する。その水は冷却されてはいるが、その間、その水の水質は劣化することとなる。
【０００４】
本発明の目的は、固定された水接続構造のない自動式のアイスキューブメーカーが組み込まれた一般的な冷蔵庫及び／又は冷凍庫において、ウォータータンクが特別な利益を有する冷蔵庫及び／又は冷凍庫を提供することにある。
【課題を解決するための手段】
【０００５】
本発明によれば、この目的は、請求項１の特徴の組み合わせに従う一般的な冷蔵庫及び／又は冷凍庫によって解決される。すなわち、そこに備えられているウォータータンクは、少なくとも１つのハンドルと、注ぎ口とを含んでおり、機器本体に取り外し可能に装着されている。ウォータータンクは、簡単に取り外すことができて、冷えた水のリザーバーとしても利用できるので、冷えた飲み水がいつでも利用可能である。ウォータータンクを飲み水の供給に利用できるようになると、水はより煩雑に交換されることとなり、アイスキューブを作る場合にも同様に新鮮な状態で利用されるようになる。
【０００６】
本発明の特別な側面は、主要な請求項に続く従属項から見て取れる。特に有利な点としては、ここでのウォータータンクは、クイックリリースカップリングを介して機器本体に組み込むことができる。クイックリリースカップリングは、一方がウォータータンクにあり、他方がポンプホルダー等を備えた機器本体にあるのが好ましい。このクイックリリースカップリングは、少なくとも日に３度は取り外せるように構成すべきである。
【０００７】
特に有利な点として、充填する水を濾過するためのフィルターが備えられている。これにより、水質を改良することができ、貯蔵期間を更に延ばすことができる。これまでに知られている、ウォータータンクを備えた自動式のアイスキューブメーカーには、通常フィルターは備えられていない。そうしたフィルターは、カートリッジフィルターとして設けることができる。そのようなカートリッジフィルターは、比較的簡単に取り替えることができる。原理的には、カートリッジフィルターは、水道水中に含まれる石灰を減少させる。更には、塩素のような、匂いや味を邪魔する物質も取り除く。加えて、アルミニウムや、ジウロンのような農薬、鉛や銅のような重金属も安全に取り除かれる。
【０００８】
フィルターの取り替えの必要性は、表示システムによって示すことができる。特に有利な点として、そのような表示システムは、電子的に作動し、例えば、冷蔵庫及び／又は冷凍庫のディスプレイを介して、ウォータータンクのフィルターを取り替えるべきかどうかが示される。
【０００９】
有利な点として、本発明はまた、上述したように、冷蔵庫及び／又は冷凍庫に利用可能なウォータータンクに関する。そのようなウォータータンクは、一方では、注ぎ口と、少なくとも１つのハンドルとを含んでおり、冷えた水のリザーバーとして利用可能になっている。他方では、それは、クイックリリースカップリング機構を含んでおり、冷蔵庫及び／又は冷凍庫の機器本体に簡単に組み込むことができ、そしてそこから簡単に取り外すことができる。
【国際調査報告】
2009501894.tif 000002
2009501894.tif 000003
2009501894.tif 000004
2009501894.tif 000005
2009501894.tif 000006
2009501894.tif 000007
(57)【要約】  内燃機関のピストンに用いられる、リング合口（２）を有するピストンリング（１）において、リング合口（２）が、ピストンリング（１）の、燃焼室に面した側の上面（３）の領域と、ピストンリング（１）の、燃焼室とは反対の側の下面（４）の領域とに、両面（３，４）に対して少なくともほぼ垂直に配置されたそれぞれ１つの外側の突合せ領域（５，６）を有しており、リング合口（２）が、中間の領域（７）を有しており、該中間の領域（７）が、外側の両突合せ領域（５，６）を互いに結合していて、ピストンリング（１）の前記面（３，４）に対して斜めに配置されているピストンリング（１）が提案される。
2009536285.tif 000002
【特許請求の範囲】
【請求項１】
内燃機関のピストンに用いられる、リング合口（２）を有するピストンリング（１）において、リング合口（２）が、ピストンリング（１）の、燃焼室に面した側の上面（３）の領域と、ピストンリング（１）の、燃焼室とは反対の側の下面（４）の領域とに、両面（３，４）に対して少なくともほぼ垂直に配置されたそれぞれ１つの外側の突合せ領域（５，６）を有しており、リング合口（２）が、中間の領域（７）を有しており、該中間の領域（７）が、外側の両突合せ領域（５，６）を互いに結合していて、ピストンリング（１）の前記面（３，４）に対して斜めに配置されていることを特徴とする、ピストンリング。
【発明の詳細な説明】
【技術分野】
【０００１】
本発明は、請求項１の上位概念部に記載の、内燃機関のピストンに用いられるピストンリングに関する。
【０００２】
ドイツ連邦共和国特許第８５２３２１号明細書に基づき、ピストンリングのリング合口が公知である。この公知のリング合口では、ピストンリングの、燃焼室に面した側の上面の領域と、ピストンリングの、燃焼室と反対の側の下面とに、これらの両面に対して垂直に位置するそれぞれ１つの外側のリング突合せ領域が設けられており、これらの外側のリング突合せ領域が、前記面に対して平行に位置する中間のリング突合せ領域を介して互いに結合されている。このことは、中間のリング突合せ領域に、集積される炭素が生ぜしめられ、ピストンリングのこの領域がリング溝内で不動となるまで、この領域におけるピストンリングの軸線方向の直径、つまり高さが増加する欠点を有している。しかし、このピストンリング領域の自由な可動性の欠如は、シリンダの内面の損傷に繋がる。
【０００３】
さらに上述した特許明細書からは、燃焼室に面した側の上面から、燃焼室とは反対の側の下面にまで達した、これらの両面に対して斜めに配置されたリング合口が公知である。この場合、リング合口の突合せ端部と、ピストンリングのそれぞれ一方の前記面との間に、尖鋭なエッジが生じてしまうことが不利である。この尖鋭なエッジは、リング製造時だけでなくエンジン運転中にも破折し、エンジン損傷を引き起し得る。
【０００４】
本発明の課題は、公知先行技術のこれらの欠点を回避することである。この課題は、請求項１の特徴部に記載の特徴によって解決される。本発明の構成では、リング合口が、ピストンリングの、燃焼室に面した側の上面の領域と、ピストンリングの、燃焼室とは反対の側の下面の領域とに、両面に対して少なくともほぼ垂直に配置されたそれぞれ１つの外側の突合せ領域を有しており、リング合口が、中間の領域を有しており、該中間の領域が、外側の両突合せ領域を互いに結合していて、ピストンリングの前記面に対して斜めに配置されているようにした。
【０００５】
以下に、本発明の実施例を図面につき詳しく説明する。図１は、内燃機関のピストンに用いられるピストンリングの平面図であり、図２は、図１のＩＩ−ＩＩ線に沿ったピストンリングの断面図であり、図３は、本発明によって形成されたリング合口を示すためのピストンリングの側面図である。
る。
【０００６】
図１には、内燃機関のピストンに用いられる、本発明によるピストンリング１が平面図で示されている。この場合、ピストンリング１のリング合口２を認識することができる。ピストンリング１は、ねずみ鋳鉄、鋼、または球状黒鉛鋳鉄から製造可能である。
【０００７】
図２には、図１のＩＩ−ＩＩ線に沿ったピストンリング１の断面図が示されている。この断面図は、ピストンリング１が、両面傾斜梯形リング（Doppelseitiger Trapezring）もしくはキーストンリングとして形成されていることを示している。
【０００８】
図３によるピストンリング１の側面図は、リング合口２の本発明による構成を示している。この構成は、ピストンリング１の、燃料室に面した側の上面３の領域と、ピストンリング１の、燃焼室とは反対の側の下面４の領域とに、両面３，４に対して垂直に位置するそれぞれ１つの突合せ領域５，６を有している。これら外側の両突合せ領域５，６の長さは、全リング幅の約１／５であり、リング合口２の外側の両突合せ領域５，６を互いに結合する中間の領域７が、ピストンリング１の前記面３，４に対して斜めに配置されるように決められている。
【０００９】
本発明によって形成されたリング合口２は、第１には、外側の両突合せ領域５，６が、ピストンリング１の製造時だけでなく、エンジン運転中にも機械的に耐荷可能であるという利点を有している。第２には、エンジン運転中に、外側の突合せ領域５，６だけでなく中間の領域７にも炭素が堆積されるが、この炭素は、エンジン運転中に起こる、中間の突合せ領域７におけるピストンリング１の両端部８，９の相対運動によって粉砕され、外側の突合せ領域５，６を介してリング合口２から排出される。
【図面の簡単な説明】
【００１０】
【図１】内燃機関のピストンに用いられるピストンリングの平面図である。
【図２】図１のＩＩ−ＩＩ線に沿ったピストンリングの断面図である。
【図３】本発明によって形成されたリング合口を示すためのピストンリングの側面図である。
【符号の説明】
【００１１】
１  ピストンリング
２  リング合口
３  ピストンリング１の、燃焼室に面した側の上面
４  ピストンリング１の、燃焼室とは反対の側の下面
５，６  外側の突合せ領域
７  リング合口２の中間の領域
８，９  ピストンリング１の端部
【図１】
2009536285.tif 000003
【図２】
2009536285.tif 000004
【図３】
2009536285.tif 000005
【国際調査報告】
2009536285.tif 000006
2009536285.tif 000007
2009536285.tif 000008
2009536285.tif 000009
(57)【要約】当発明は硬膜外腔と蜘蛛下腔の連合麻酔に応用される軌道式腰椎連合の穿刺針を披露した。硬膜外の穿刺針の針穴の上にガイド用のパイプ（３）を設置しており、針本体の表面に溝がある。腰穿刺針の針先は片側が曲がっている構造（４）を用いている。麻酔を実施する時に、硬膜外の穿刺針で硬膜外腔に挿し、硬膜外のパイプを入れるのである。それから、腰穿刺針が硬膜外の穿刺針の針穴にあるパイプを通って、硬膜外の穿刺針の針本体の溝に沿って、硬膜外腔につくのである。もう少し前に進むと、蜘蛛膜の下腔で、麻酔薬を注入してから、逐次に腰穿刺針と硬膜外の穿刺針を取り出すのである。同時に、硬膜外のパイプを残すのである。当発明のメリット：（１）蜘蛛膜の下腔に薬を注入する前に硬膜外のパイプを設置することができる。（２）硬膜外のパイプが、腰穿刺針穴を通る際に、蜘蛛膜の下腔に入る可能性を避けることである。（３）硬膜外のパイプが硬膜の外腔に入るのがより易くできる。
2009536840.tif 000002
【特許請求の範囲】
【請求項１】
硬膜外の穿刺針（１）と腰穿刺針（３）からなる軌道式腰椎連合の穿刺針であって、当発明の特徴としては、硬膜外穿刺針の針穴にガイド用のパイプ（３）を設置しており、針本体の外側に軌道としての溝（８）を設置しており、腰穿刺針が鳥のくちばし（４）の形にしている。
【請求項２】
請求項１記載の軌道式腰椎連合の穿刺針の特徴は硬膜外の穿刺針の針穴に位置しているガイド用のパイプ（３）にあり、腰穿刺針はパイプに沿って、針穴の溝（８）に入ることができる。
【請求項３】
請求項１記載の軌道式腰椎連合の穿刺針のもう一つの特徴は硬膜外の穿刺針の上に溝が設置され、腰穿刺針がその溝に沿って進むことができる。
【請求項４】
請求項１記載の軌道式腰椎連合の穿刺針の特徴は腰穿刺針の針先が鳥のくちばしの形（４）にされ、その腹側が針本体の溝（８）にくっ付いて、下側に進むのである。
【発明の詳細な説明】
【技術分野】
【０００１】
当発明は、硬膜外腔と蜘蛛膜下腔の連合的麻酔に応用される、軌道式の腰椎連合穿刺の針である。
【背景技術】
【０００２】
伝統的技術方法は、硬膜外穿刺の針を硬膜外腔に挿すことを先にする。それから、腰穿刺の針が硬膜外穿刺針の内腔を通して、硬膜外腔に送られ、さらに硬膜と蜘蛛膜を突き抜け、蜘蛛膜下腔について、薬を入れるのである。腰穿刺針が終わってから、硬膜外を通して、穿刺針を硬膜外のパイプに入れて、硬膜外の穿刺針が完了されることになる。以上が麻酔穿刺の操作である。
【発明の開示】
【０００３】
当発明は、今までの技術的な問題点を克服し、実用操作に強い、科学合理的な腰椎連合の穿刺針を提供する。軌道式腰椎連合の穿刺針には硬膜外の穿刺針（１）と腰穿刺針（２）からなっている。特徴としては、硬膜外の穿刺針の針穴にガイド用の小さいパイプ（３）と針本体の表に軌道としての溝（８）、を設置しており、それに、針先が鳥のくちばしの形にされることである。
【０００４】
当発明は今までの技術と比べて、以下のメリットがある。
１、伝統的方法は先に蜘蛛膜に薬を入れてから、硬膜の外腔にパイプ設置するに対して、当発明は、硬膜外にパイプ設置してから、蜘蛛膜の下腔に薬を入れるもので、伝統的方法の不便さを避けるようになった。
２、当発明は、硬膜外のパイプが、腰穿刺針をされる時に硬膜に残した穴を通す際に、蜘蛛膜の下腔に入る可能性を避けるようになった。
３、当発明は、硬膜外穿刺針の針先の出口平面と針本体の角度を適当に変えて、硬膜外のパイプが硬膜の外腔に入るのがより易くなった。
【発明を実施するための最良の形態】
【０００５】
所定の方法では、先ず硬膜外の穿刺針を硬膜外腔に挿して、硬膜外穿刺針によって硬膜外のパイプに入れる。次に、腰穿刺針（２）を取り出して、硬膜外穿刺針の針穴にあるガイド用のパイプ（３）の入り口（５）から通らせる。それから、出口（６）を通して、前送りして、硬膜外穿刺針の針本体にある溝（８）（即ち、軌道）と（７）に交わるのである。（８）に沿って、続いて進めると、硬膜外腔に入るのである。（注意：腰穿刺針の鳥のくちばしみたいな針先の腹側を軌道の下側にくっ付かせて進めなければならない。こうすれば、腰穿刺針は軌道をはずれなように進めることができる）。もう少し進めると、空振りの感じがしたら、腰穿刺針のピンを取り出して、脳脊液が出るのが見える。針先が蜘蛛膜の下腔に入ったことがわかったら、この針によって、蜘蛛膜の下腔に麻酔薬を注入するのである。腰穿刺針を抜け出して、最後に、硬膜外の穿刺針を取り、硬膜外のパイプそのままに残して、穿刺過程が完了。
【図面の簡単な説明】
【０００６】
【図１】図１と図２は硬膜外穿刺針の二元解剖図である。（５）ガイド用のパイプ（３）入口（６）出口（７）ガイド用のパイプ（３）の延長線と針本体の溝（８）との交差するところ。
【図２】図１と図２は硬膜外穿刺針の二元解剖図である。（５）ガイド用のパイプ（３）入口（６）出口（７）ガイド用のパイプ（３）の延長線と針本体の溝（８）との交差するところ。
【図３】図３は腰穿刺針の二元解剖図である。（４）針先が鳥のくちばしの形にされた腰穿刺針。
【図１】
2009536840.tif 000003
【図２】
2009536840.tif 000004
【図３】
2009536840.tif 000005
【国際調査報告】
2009536840.tif 000006
2009536840.tif 000007
2009536840.tif 000008
2009536840.tif 000009
(57)【要約】患者頭部を固定する支持具であって、粒体間が脱気によって減少するように移動性粒体を充填した基礎クッション（２）と、基礎クッション上に提供された移動性粒体を充填した少なくとも２体の側部支持クッション（３）とを含んでいる。  【選択図】図１
2009536047.tif 000002
【特許請求の範囲】
【請求項１】
患者頭部を固定する支持具であって、
粒体間が脱気によって減少するように移動性粒体を充填した基礎クッション（２）と、該基礎クッション上に提供された移動性粒体を充填した複数の側部支持クッション（３）とを含んでいることを特徴とする支持具。
【請求項２】
側部支持クッションと基礎クッションとの間には通気連結部が提供されていることを特徴とする請求項１記載の支持具。
【請求項３】
各側部支持クッションは少なくとも２体の重ねられたパッド（５）で提供されていることを特徴とする請求項１または２に記載の支持具。
【発明の詳細な説明】
【技術分野】
【０００１】
本発明は、空気を排出することで粒子間の隙間を減らすことができる移動性粒体を含んだクッションで患者の頭部を固定させる支持具に関する。
【背景技術】
【０００２】
ＷＯ０１/３０２８０で開示されている、移動性粒体、特にポリスチレンフォームボール体で充填された変形自在な器具を含んだ上体支持具は知られている。この支持具は特に着座している障害者に対して使用され、患者の上体、頭部および頚部を包囲し、体型に合わせて手によって形状調整され、固定ベルトによって固定されるものである。その後の脱気処理によって充填粒体間の隙間は減少され、支持具は硬化する。
【０００３】
１実施例においてはこの支持具は頭部と頚部領域に使用が限定されており、そこで胴体支持部材は相当に短形である。頭部の側部支持を提供するため、支持具の重なった領域を折り曲げる必要がある。
【０００４】
ストレッチャー用のヘッドレストとして複数部分で成る固定具が使用される。この固定具はパッド型の基礎プレート部を有する。耳の収容用に中央部に切り欠き部を有し、基礎プレート部に置くことができるフォーム製立方体が各側部に提供されている。この固定具は追加の額および顎の固定ベルト並びに連結具を含む。
【発明の開示】
【発明が解決しようとする課題】
【０００５】
フォーム製立方体は頭部形状には適応しない。よってこの固定具はさほど便利ではない。しかし主な弱点は迅速取り扱いをさらに困難にする複数部分の存在である。
【０００６】
従って本発明の１目的は患者の頭部に適用でき、取り扱いが簡単であり、患者を可能な限り便利な姿勢に保つ支持具の提供である。
【課題を解決するための手段】
【０００７】
本発明によれば、この目的は基礎クッション上に移動性粒体を充填させた側部支持クッションを提供することで達成される。このように構成することで、頭部が基礎クッションに配置されたときにはほぼ所望の形状に変形している側部支持クッションを有したヘッドレストが提供される。これは側部支持クッションの充填物は移動することができるからである。この変形によって側部支持クッションを脱気することなく頭部の比較的に良好な固定性が達成される。充填粒体の摩擦によって基礎クッションに固定された側部支持クッションを変形するには相当なるエネルギーを必要とするからである。
【０００８】
支持具の固定性は、側部支持クッションが頭部に適用された後に脱気が完了するとさらに改善される。頚部領域の脊髄損傷が疑われるときにこれは特に必要である。
【０００９】
１好適実施例においては、１回の操作で３体のクッション全部を脱気するため、側部支持クッションと基礎クッションとの間の連結領域は通気性である。この通気性は、例えばクッション同士を連通させ、側部支持クッションと基礎クッションとの間での粒体移動を防止するために通気性布等で連通部を塞ぐことで達成される。
【００１０】
側部支持クッションを比較的に厚手に形成するときには、１好適実施例においては、側部支持クッションは少なくとも２体のパッドを重ねて形成される。
【発明を実施するための最良の形態】
【００１１】
本発明の更なる詳細は添付図面を利用して以下において非限定的に説明されている。
【００１２】
支持具１は移動性粒体、例えば粒状ポリスチレンフォームを充填した基礎クッション２を有している。その上で患者頭部９の支持領域７の両側に、移動性粒体を充填することもできる側部支持クッション３が提供されている。１実施例では基礎クッション２と側部支持クッション３は溶着可能膜体で提供された外側収容ケースを有している。側部支持クッション３は基礎クッション２と溶着部８によって接合できる。溶着部８で枠取られた領域内に概略的に図示されている開口４が提供され、そこを通ってクッション間で空気が通流することができる。よって支持具１を脱気するには１体のバルブ６のみを基礎クッション２に提供すればよい。もちろん各クッション２、３に自身のバルブを提供することも可能であるが、３個全部のクッションの脱気には手間がかかる。基礎クッション２には取付ベルト（図示せず）が取り付け可能であり、例えば額や顎に固定することができる。
【００１３】
図３の実施例は各側部支持クッション３が少なくとも２体のパッド５で提供されていることを示す。２体のパッド５は好適には上述のように連結されており、共に脱気される。それぞれの側部の第２又は/及び第３パッド５を、例えば半分のサイズとし、頭部の上半分のみを固定させることもできる。
【００１４】
好適には粒体は通気性布バッグあるいはパウチに収納される。このバッグは密閉クッション２、３内に挿入される。これでクッション２、３間の粒体の移動が防止される。粒体をクッション２、３内に直接的に充填するときには開口部は通気性布部材等で塞ぐことができる。
【図面の簡単な説明】
【００１５】
【図１】図１は本発明の第１実施例による支持具の斜視図である。
【図２】図２は頭部（図示せず）に合わせて調整された第１実施例による側部支持具の概略斜視図である。
【図３】図３は第２実施例による図１に類似した支持具の斜視図である。
【図４】図４は図１または図３で示す支持具の平面図である。
【図１】
2009536047.tif 000003
【図２】
2009536047.tif 000004
【図３】
2009536047.tif 000005
【図４】
2009536047.tif 000006
【国際調査報告】
2009536047.tif 000007
2009536047.tif 000008
2009536047.tif 000009
2009536047.tif 000010
2009536047.tif 000011
2009536047.tif 000012
(57)【要約】【課題】  本発明は、体腔内より抜去するのは容易で、逆に体腔側への動きには抵抗性を示し、体腔内への落下を防止するストッパー付き医療用ドレーンチューブを提供する。【解決手段】  医療用ドレーンチューブの人体壁にかかる可能性のある部分の外壁に同一円周上にならぶ複数個のストッパーをチューブの長軸に対してほぼ同一間隔でもうける。ストッパーは後端側に向かって流線型のかたちをしており、前端側はチューブ外壁と鈎状あるいはほぼ垂直なかたちをしている。ストッパーの前端側は体腔内への落下を防ぐ抵抗としてはたらき、チューブの落下を防ぐことができる。一方、後端側へはなだらかな勾配を形成しており、チューブを人体壁に通す際や手術後、チューブを抜去する際には抵抗がほとんどかからず容易に抜くことができる。つば状やらせん状のストッパーにおいても同様の原理でチューブの体腔内への落下を防ぐことができる。【選択図】  図１
2006312005.tif 000002
【特許請求の範囲】
【請求項１】
外壁の同じレベルの円周上にもうけた、後端側に対し流線型の複数個の突起がチューブの長軸に対してほぼ同一間隔で、チューブの人体壁にかかる可能性のある部分に並ぶ所定の長さの管状の医療用ドレーンチューブ。
【請求項２】
この流線型の突起の前端側が鈎（かぎ）状のかたちをしている請求項１の医療用ドレーンチューブ。
【請求項３】
この流線型の突起の前端側がチューブ外壁とほぼ垂直になるかたちをしている請求項１の医療用ドレーンチューブ
【請求項４】
請求項１と請求項２，請求項３の流線型の突起をそれぞれ同一円周上で連続させたつば状の突起を持つ所定の長さの医療用ドレーンチューブ。
【請求項５】
請求項４のつば状の突起をらせん状にした構造を持つ所定の長さの医療用ドレーンチューブ。
【発明の詳細な説明】
【技術分野】
【０００１】  本発明は、腹腔あるいは胸腔（以下、体腔と略す）内より抜去するのは容易で、逆に体腔側への動きには抵抗性を示し、体腔への落下を防止するストッパー付き医療用ドレーンチューブに関するものである。
【背景技術】
【０００２】  従来の医療用ドレーンチューブ自体には、チューブが体腔内に落下するのを防ぐための工夫はなく、非接続型のドレーンチューブや接続型ドレーンチューブを短く切った場合には、安全ピンや糸でチューブを固定して体腔内への落下を防いだつもりでも、安全ピンや糸が取れたり、はずれると短時間のうちに何の抵抗もなく体腔内へ落ちるリスクが高い。また、患者が手術後に不穏状態になり、はさみなどでドレーンチューブを切った場合にも、同じようにチューブが落ちるリスクが高い。
体腔内に落ちたチューブは基本的には手術的にしか取り出すことができない。
【発明の開示】
【発明が解決しようとする課題】
【０００３】  そこでこの発明は、前記のような従来の問題を解決し、体腔内へ落下するリスクのないストッパー付き医療用ドレーンチューブを提供することを目的とする。
【課題を解決するための手段】
【０００４】  この目的を達成するため、医療用ドレーンチューブの人体壁にかかる可能性のある部分の外壁に同一円周上にならぶ複数個のストッパーをチューブの長軸に対してほぼ同一間隔でもうける。
ストッパーは後端側に向かって流線型のかたちをしており、前端側はチューブ外壁と鈎状あるいはほぼ垂直なかたちをしている。この流線型の突起は同じ高さで流線型の突起を連続させたつば状の突起であってもよいし、あるいはつば状の突起をらせん状にした構造でもよい。
【発明の効果】
【０００５】  本発明のストッパー付きドレーンチューブは、ストッパーの前端側がチューブに対して鈎状、あるいは垂直におわっている。そのため、安全ピンや糸がはずれたり、患者がドレーンチューブを切っても、ストッパーが皮膚面および人体壁で体腔側への落下を防ぐ抵抗の役割をし、ドレーンチューブの体腔側への落下を防ぐことができる。
一方、ストッパーは後端側へ流線型をしており、チューブを抜去する際には抵抗がほとんどかからず容易に抜くことができる。
【発明の実施の最良の形態】
【０００６】  以下、本発明の実施の形態を説明する。
イ  医療用ドレーンチューブ本体（１）の人体壁にかかる可能性のある部分の外壁に同一円周上にならぶストッパー（２）をチューブ長軸に対してほぼ同一間隔でもうける。
ロ  このストッパーは後端側に対して流線型をしている。
ハ  このストパーの前端側はチューブ外壁に対し鈎状（５）または垂直なかたち（６）をしている。
ニ  ストッパーは突起を連続させたつば状（１１）あるいはらせん状であってもよい。
本発明は以上の構成からなる。
本発明を使用するときは、まず、従来の方法と同じ方法で手術創の閉鎖の前にチューブを体腔側から人体壁を通して体腔外へ出す。その際、本チューブに存在するストッパーは後端側に向かって流線型をしているので、チューブが人体壁を通る際に問題となる抵抗は生じない。
チューブの先端は、体腔内の浸出液が最もたまりやすい部位に位置させるが、チューブが皮膚面、あるいは人体壁に位置する部位では、チューブのストッパーがチューブの体腔内への落下を防ぐ抵抗としての役割をはたし、ドレーンに止めてある安全ピンが取れたり、ドレーンを皮膚に固定している糸ゆるむ、あるいは患者が不穏になってドレーンをはさみで切ってしまっても体腔内へ落下するリスクがない。
手術後に必要性が無くなり、チューブを抜去する際にも、ストッパーが後端側に向かって流線型をしているので、抵抗がほとんどかからずチューブを容易に抜くことができる。
【図面の簡単な説明】
【０００７】
【図１】  本発明の斜視図
【図２】  本発明の要部拡大のの正面図
【図３】  本発明の要部拡大のの正面図
【図４】  ドレーンチューブが人体壁に位置する際の断面図
【図５】  つば状のストッパーの斜視図
【符合の説明】
【０００８】（１）ドレーンチューブ本体  （２）落下を防止するためのストッパー  （３）前端側  （４）後端側  （５）鈎状ストッパー  （６）本体に垂直なストッパー  （７）人体壁の皮膚  （８）人体壁の皮下脂肪  （９）人体壁の筋肉  （１０）人体壁の腹膜  （１１）つば状のストッパー
【図１】
2006312005.tif 000003
【図２】
2006312005.tif 000004
【図３】
2006312005.tif 000005
【図４】
2006312005.tif 000006
【図５】
2006312005.tif 000007
(57)【要約】      （修正有）【課題】洗濯時、洗濯物を洗濯ピンチに装着したまま洗濯袋に入れて洗い、洗濯後はそのまま干すことができるようにした洗濯袋着脱式物干しハンガーを提供する。【解決手段】スポンジ素材の支軸の両側面に洗濯ピンチを取り付け、支軸の底面に裏返した洗濯袋を取り付け、支軸の上部と端にハンガー着脱用のフープを設け、洗濯物を、洗濯ピンチに装着したら、洗濯袋を反転させることにより洗濯物を中に入れて、そのまま電気洗濯機で洗い、洗濯が終わったら、再度反転させてもとの状態に戻した後、フックを設けたハンガーに掛けてそのまま干すことができるように構成したことを特徴とする、洗濯袋着脱式物干しハンガー。【選択図】  図１
2006312002.tif 000002
【特許請求の範囲】
【請求項１】
スポンジ素材の支軸の両側面に洗濯ピンチを取り付け、支軸の底面に裏返した洗濯袋を取り付け、支軸の上部と端にハンガー着脱用のフープを設け、洗濯物を、洗濯ピンチに装着したら、洗濯袋を反転させることにより洗濯物を中に入れて、そのまま電気洗濯機で洗い、洗濯が終わったら、再度反転させてもとの状態に戻した後、フックを設けたハンガーに掛けてそのまま干すことができるように構成したことを特徴とする、洗濯袋着脱式物干しハンガー。
【発明の詳細な説明】
【技術分野】
【０００１】  本発明は、洗濯時、洗濯物を洗濯ピンチに装着したまま洗濯袋に入れて洗い、洗濯後はそのまま干すことができるようにした洗濯袋着脱式物干しハンガーに関するものである。［背景技術］【０００２】  従来、洗濯袋に入れて洗ったものは、袋から取り出して物干しピンチに一つ一つ干していた。［発明の開示］［発明が解決しようとする課題］【０００３】  洗濯物を洗濯袋に入れて電気洗濯機で洗うと、洗濯袋の中で洗濯物が片寄り、干すために取り出す際取り出しづらく、特に小物類などは、思わぬところに飛んで落ちることがあり効率が悪かった。本発明は、以上の問題点を解決しようとするものである。［課題を解決するための手段］【０００４】上記問題点を解決するため、本発明は、スポンジ素材の支軸の両側面に洗濯ピンチを取り付け、支軸の底面に裏返した洗濯袋を取り付け、支軸の上部と端にはハンガー着脱用のフープを設ける。また、上記の洗濯袋を着脱するための専用ハンガーとして、ハンガーの数カ所にフックを設け、洗濯の前に洗濯ピンチに洗濯物を装着した後、洗濯袋を反転させることにより洗濯物を中に入れる。そして、そのまま電気洗濯機で洗い、洗濯が終わったら、洗濯袋を再度反転させてもとの状態に戻し、ハンガー部のフックに掛けてそのまま干すことができるように構成したことを特徴とする、洗濯袋着脱式物干しハンガーである。［発明の効果］【０００５】  本発明は、洗濯物を、スポンジ素材の支軸に取り付けたピンチに装着した状態で電気洗濯機で洗うため、洗濯袋内の絡まりや片寄りを防ぐことができ、さらに、洗濯後は、洗濯袋を反転させてそのまま干すことで、取り出して干す際に洗濯物が飛び散ることなくスムーズに洗濯袋内の洗濯物を干すことができる。［発明を実施するための最良の形態］【０００６】以下、本発明の実施の形態を説明する。（イ）水切れのよいスポンジ素材をドーナツ型に形成したもの（１）を二つ折りにし、中央部を縛る。中央部を縛ることによりできた二つの穴に、もう一つのドーナツ型に形成したスポンジ（１）を通して組み合わせる。さらに、二つのドーナツ型を組み合わせることによってできた二つの穴に、ドーナツ型に形成したスポンジ（１）を通して組み合わせる、という作業を繰り返していき、最後は端を縛る。そして、端から端をつなぐようにして支軸（３）の中心に紐を通し、中心軸（２）とする。以上の構成が本発明品の支軸（３）となる。（ロ）スポンジ内部に設けた中心軸（２）と支軸（３）のスポンジ部分の上部を介して、支軸（３）の側面の上肩部に、洗濯ピンチ（４）を、支軸（３）に対して垂直に回転ができるような形で取り付ける。以上のようにして、支軸（３）の両側面に洗濯ピンチ（４）を複数個取り付ける。筒状の洗濯袋（５）を裏返した状態で、ファスナー（６）の反対側である洗濯袋（５）の底部を、支軸（３）の底面より、支軸（３）の内部の中心軸（２）に取り付ける。（ハ）支軸（３）の両端と上部数箇所に、支軸（３）の内部の中心軸（２）を介して、ハンガー取り付け用のフープ（７）を設ける。（ニ）ハンガー（８）の下部両端に，先端に球の付いたＬ字型フック（９−ａ）を外向きに設け、さらに、ハンガー取り付け用フープ（７−ｂ）の数に応じて、ハンガー（���）の下部の数箇所に、先端に球の付いたＩ字型フック（９−ｂ）を上向きに設ける。  本発明は以上の構成よりなっている。  本発明を使用するときは、洗濯ピンチ（４）に洗濯物を装着した後、ハンガー（８）から外し、洗濯袋（５）を反転させ、洗濯物と支軸（３）を包み込むようにして中にいれ、ファスナー（６）をしてそのまま電気洗濯機で洗う。この支軸（３）は弾力性があり、洗濯中もこの形状を保つため、洗濯袋（５）の中の洗濯物の片寄りを防ぎ、洗濯袋（５）と同時に洗う洗濯物との、絡まりを防ぐ。電気洗濯機の洗濯が終了したら、再度、洗濯袋（５）を反転させ、元の状態に戻した後、支軸（３）の両端に設けたハンガー取り付け用フープ（７−ｂ）を、ハンガー（８）のＬ字型フック（９−ａ）にかけ、支軸（３）の上部に設けた取り付け用フープ（７−ｂ）を、ハンガー（８）のＩ字型フック（９−ｂ）にかけ、そのまま干すことができる。乾燥後は、そのまま取り込むことができる。
【図面の簡単な説明】
【０００７】
【図１】本発明の斜視図
【図２】本発明の使用状態を示す斜視図（洗濯ピンチに洗濯物を装着してある状態）
【図３】本発明の使用状態を示す斜視図（洗濯袋の中に洗濯物が納まっている状態）
【図４】本発明の支軸の分解斜視図
【図５】本発明の断面図
【符号の説明】
【０００８】    （１）      ドーナツ型スポンジ    （２）      中心軸    （３）      支軸    （４）      洗濯ピンチ    （５）      洗濯袋    （６）      ファスナー    （７−ａ）  支軸端のフープ    （７−ｂ）  支軸上部のフープ    （８）      ハンガー    （９−ａ）  Ｌ字型フック    （９−ｂ）  Ｉ字型フック
【図１】
2006312002.tif 000003
【図２】
2006312002.tif 000004
【図３】
2006312002.tif 000005
【図４】
2006312002.tif 000006
【図５】
2006312002.tif 000007
(57)【要約】      （修正有）【課題】従来の庭、ベランダ及びお呂場で使用されている履物は、つま先に水が溜りその処理に手間がかかり不便であった。その履物の底面に復数の穴をあけることにより水はけを良くし便利な履物を提供する。【解決手段】履物の底面に水を通すための復数の穴１をあけた事を特徴とする。【選択図】図１
2006312006.tif 000002
【特許請求の範囲】
【請求項１】
履物の底面に水の通る復数の穴がある履物。
【発明の詳細な説明】
【技術分野】
【０００１】  この発明は、履物の底面に水の通る復数の穴をあけた履物に関するものである。
【背景技術】
【０００２】  従来、庭やベランダ及びお呂場において使用されている履物は水はけが悪いので水がつま先部分に溜りやすくなっている。
【発明の開示】
【発明が解決しようとする課題】  これは、次のような問題点があった。
出先に洗濯物をあわてて干す時昨夜の雨水又は、通り雨でつま先に水が溜っている履物につい足を入れストッキングやくつ下を濡してしまいはきかえなければならなくなったり、急いでお呂の掃除をする時、シャワーや呂の水がつま先に溜っている履物をはいてしまいうっかり足を濡して不快な思いで足を拭いたり、ついやうっかりし無くとも、干したり、立て掛けたり、水分を拭き取ってから棚に片付けたりと手間がかかり不便な場合が多かった。
【課題を解決するための手段】
【０００４】  履物の底面に水の通る復数の穴をあける以上の構成よりなる履物である。
【発明の効果】
【０００５】  履物の底面に復数の穴があいている事により水はけが良くなりつま先部分に水が溜る事無くうっかりストッキングやくつ下及び足を濡す事、ぞうきんで履物を拭いて棚に片付けたり、立てかけたり、干したりする事等々の手間が全て省ける。
履物の底面に復数の穴があいていても使用にはなんらさしつかえない。
【発明を実施するための最良の形態】
【０００６】  以下、本発明の実施例について説明する。
履物の底部分に１の復数の穴をあける。
本発明は、以上のような構造である。そしてこれを使用する時は、水はけが良いのでそのまま履いたり放置したりすれば良いのである。
【図面の簡単な説明】
【０００７】
【図１】本発明のスリッパ型の透斜視図。
【図２】本発明のサンダル型の透斜視図。
【図３】本発明のブーツ型の透斜視図。
【図４】図１、図２のａ線の断面図である。
【図５】図３のｂ線の断面図である。
【符号の説明】
【０００８】  １は復数の穴の１つである。
【図１】
2006312006.tif 000003
【図２】
2006312006.tif 000004
【図３】
2006312006.tif 000005
【図４】
2006312006.tif 000006
【図５】
2006312006.tif 000007
(57)【要約】【課題】男性のトイレでの小便の場合の飛沫，しずく等で便器や床の汚れを防止し、排尿後の下着の濡れるのを防ぐための筒状にしたトイレットペーパー【解決手段】トイレットペーパーを筒状１にして、その筒の中に陰茎を差込、もう一方を便器２の中に入れ、排尿するため、尿が筒の中を伝わって便器２に入るため飛沫や、しずくが全く、便器や床を汚す事が無く、排便後はそのままそのペーパーで陰茎についている尿もふき取る事も出来るため、下着等も濡れず清潔であり衛生的である。【選択図】      図１
2006312001.tif 000002
【特許請求の範囲】
【請求項１】
トイレットペーパーを筒状にし、大便にも使用出来、男性の小便の場合には、その筒の中に陰茎を差し込み、排尿すると尿が筒の中を伝わり便器の中に排出され、便器や床が汚れるのを防ぎ、排尿後、そのまま、そのペーパーで陰茎に付いている尿をふき取れる事を目的としているトイレットペーパー。
【発明の詳細な説明】
【技術分野】
【０００１】本発明は、トイレットペーパーに関するものである。
【背景技術】
【０００２】男性が小便をする場合において、ほとんどの場合立ち姿で排尿するものであるため、注意していても飛沫や、しずくで便器や床を汚してしまうものである。又、女性の場合は小便においてもトイレットペーパーを使用するが、男性はほとんどが使用せず゛そのままであるため、下着を汚し、不清潔である。
【発明が解決しようとする課題】
【０００３】立ち姿で小便をしても、その飛沫や、しずく等で便器や床を汚す事が無く、清潔な便所を維持出来、又、排尿後も下着をぬらす事無く、衛生的な生活を目的とする。
【課題を解決するための手段】
【０００４】本発明は、トイレットペーパーを筒状にし、一方に陰茎を差し込み、一方を便器の中に入れ、排尿をする。尿は筒の中を通り便器の中に排尿される、したがって、どのようにしても尿が便器や床に飛び散る事が無く、排尿後は、そのまま陰茎に付着した尿をふき取る事が出来、清潔、衛生的である。
【発明の効果】
【０００５】陰茎をトイレットペーパーの筒の中に差し込み、排尿をするので、尿は筒を伝わって便器の中に排出されるため、尿の飛沫や、しずくで便器や床を汚す事が無く、衛生的であり、又、排尿後は、そのままペーパーで陰茎に付いている尿をふき取る事が出来、下着等を汚す事が無く、清潔、衛生的である。
【発明を実地するための最良の形態・実地例】
【０００６】本発明はトイレットペーパーを筒状１にしたものである。従来のトイレットペーパーと同様にロール状に出来、ペーパーホルダーも従来の物を使用できるものである。トイレットペーパー筒状１を陰茎から便器２の中までの長さを切り取り、一方に陰茎を差込、一方を便器２の中入れる、排尿をすると尿はトイレットペーパー筒状１の中をつたわって、便器２に排出されることになり、尿の飛沫や、しずくが床に飛び散る事も無く、衛生的に排便が出来る。
【図面の簡単な説明】
【図１】本発明の小便用筒状トイレットペーパーの斜視図、使用形態図である。
【符号の説明】
１        筒状トイレットペーパー
２        便器
３        トイレットペーパー筒部分
【図１】
2006312001.tif 000003